(57)【要約】      （修正有）【課題】レーザシステムのレーザフォーカス光学モジュールに取り外し可能に配設される結合用ユニットを有する液体ジェット誘導レーザシステムのためのヘッド組立体を提供する。【解決手段】結合用ユニット５７は、結合用ユニットに取り外し可能に接続されたノズル組立体６０を有し、ノズル組立体は液体ジェットノズル６５およびノズルキャップ７７を有し、ノズルキャップは、液体ジェットの近くでアシストガスを排出する軸方向出口ポート９１ａ，９１ｂ及び固定出口ポートまでアシストガスを個別に輸送するためにノズルキャップ本体を通じて延びるアシストガス源と流体連通している複数の軸方向アシストガス導管８１ａ，８１ｂ及び固定アシストガス導管を有する。複数の軸方向アシストガス導管の少なくとも一部は、液体ジェット穴７９との流体連通から仕切られる。側方移動組立体がレーザフォーカス光学モジュール２４と結合用ユニットの間に構成されてもよい。【選択図】図１
2017164812.tif 000002
【特許請求の範囲】
【請求項１】
液体ジェット誘導レーザシステム（２０）のためのヘッド組立体（２１）であって、
前記レーザシステム（２０）のレーザフォーカス光学モジュール（２４）に取り外し可能に配設された結合用ユニット（５７）を備え、前記結合用ユニット（５７）は、
前記結合用ユニット（５７）に取り外し可能に接続され、軸方向および半径方向を規定するとともに液体ジェットノズル（６５）およびノズルキャップ（７７）を備えるノズル組立体（６０）を備え、前記液体ジェットノズル（６５）は、液体ジェット（３３）を形成するように構成され、前記ノズルキャップ（７７）は、
ノズルキャップ本体（７８）であって、軸方向に配列されノズルキャップ本体（７８）の中心を通じて延びる液体ジェット穴（７９）を画定するノズルキャップ本体（７８）と、
アシストガス（３１）源と流体連通している複数の軸方向アシストガス導管（８１ａ、８１ｂ）および固定アシストガス導管（３２）であって、前記液体ジェット穴（７９）と同心の環状パターンで配置された入口ポート（６１ａ、６１ｂ）を通じて前記ノズルキャップ本体（７８）に入り、前記液体ジェット（３３）の最も近くでアシストガス（３１）を排出するように配置された軸方向出口ポート（９１ａ、９１ｂ）および固定出口ポート（３５）までアシストガス（３１）を個別に輸送するために前記ノズルキャップ本体（７８）を通じて延びる複数の軸方向アシストガス導管（８１ａ、８１ｂ）および複数の固定アシストガス導管（３２）とを備え、
前記複数の軸方向アシストガス導管（８１ａ、８１ｂ）の少なくとも一部は、前記液体ジェット穴（７９）との流体連通から仕切られる、液体ジェット誘導レーザシステム（２０）のためのヘッド組立体（２１）。
【請求項２】
前記軸方向出口ポート（９１ａ、９１ｂ）の少なくとも一部は、約１０度から約４０度の範囲内において液体ジェット収束角度θで前記アシストガス（３１）を噴射するように配置される、請求項１記載のヘッド組立体（２１）。
【請求項３】
前記固定出口ポート（３５）の少なくとも一部は、前記液体ジェット穴（７９）と半径方向流体連通するために配置される、請求項１記載のヘッド組立体（２１）。
【請求項４】
前記複数の軸方向アシストガス導管（８１ａ、８１ｂ）および前記複数の固定アシストガス導管（３２）の直径は、約０．００５インチから約０．０３インチの範囲内である、請求項１記載のヘッド組立体（２１）。
【請求項５】
ダイヤフラムスロット（４１）内に取り外し可能に配設されたダイヤフラム（４２）をさらに備える、請求項１記載のヘッド組立体（２１）。
【請求項６】
前記ダイヤフラム（４２）は、前記液体ジェット（３３）の軸方向に直交して配置され、前記ダイヤフラム（４２）を通じて伝わるアシストガス（３１）を阻止するのに十分な距離延びる、請求項５記載のヘッド組立体（２１）。
【請求項７】
約１：４から１：１０の範囲内でアスペクト比を定めるダイヤフラム中央穴をさらに備える、請求項５記載のヘッド組立体（２１）。
【請求項８】
前記結合用ユニット（５７）は、環状ダクト（６９）に供給するための液体を備える、請求項１記載のヘッド組立体（２１）。
【請求項９】
環状空間（８５）を通じて前記複数の軸方向アシストガス導管（８１ａ、８１ｂ）および複数の固定アシストガス導管（３２）へアシストガス（３１）を供給するように構成されたアシストガスマニホルド（８３）をさらに備える、請求項１記載のヘッド組立体（２１）。
【請求項１０】
前記結合用ユニット（５７）は、前記ノズル組立体（６０）に取り外し可能に配設される窓要素（６２）を備える、請求項１記載のヘッド組立体（２１）。
【請求項１１】
レーザフォーカス光学モジュール（２４）に取り付けるように構成された側方移動組立体（３０）と、
前記側方移動組立体（３０）に取り外し可能に取り付けられた結合用組立体（２２）と
を備えた液体ジェット誘導レーザシステム（２０）であって、
前記側方移動組立体（３０）は、前記液体ジェット誘導レーザシステム（２０）のレーザビームに直交する平面内で前記結合用組立体（２２）の位置を調整することを可能にし、前記結合用組立体（２２）は、
結合用ユニット（５７）に取り外し可能に接続され、軸方向および半径方向を規定するとともに液体ジェットノズル（６５）およびノズルキャップ（７７）を備えるノズル組立体（６０）を備え、前記液体ジェットノズル（６５）は、液体ジェット（３３）を形成するように構成され、前記ノズルキャップ（７７）は、
ノズルキャップ本体（７８）であって、軸方向に配列されノズルキャップ本体（７８）の中心を通じて延びる液体ジェット穴（７９）を画定するノズルキャップ本体（７８）と、
アシストガス（３１）源と流体連通している複数の軸方向アシストガス導管（８１ａ、８１ｂ）および固定アシストガス導管（３２）であって、前記液体ジェット穴（７９）と同心の環状パターンで配置された入口ポート（６１ａ、６１ｂ）を通じて前記ノズルキャップ本体（７８）に入り、前記液体ジェット（３３）の最も近くでアシストガス（３１）を排出するように配置された軸方向出口ポート（９１ａ、９１ｂ）および固定出口ポート（３５）までアシストガス（３１）を個別に輸送するために前記ノズルキャップ本体（７８）を通じて延びる複数の軸方向アシストガス導管（８１ａ、８１ｂ）および複数の固定アシストガス導管（３２）とを備え、
前記複数の軸方向アシストガス導管（８１ａ、８１ｂ）の少なくとも一部は、前記液体ジェット穴（７９）との流体連通から仕切られる、液体ジェット誘導レーザシステム（２０）。
【発明の詳細な説明】
【技術分野】
【０００１】
概して、液体ジェット誘導レーザシステム用のノズルキャップが開示される。具体的には、ノズルキャップは、液体ジェットの乱れを減少させるために軸方向アシストガスから液体ジェットを分離させる。
【背景技術】
【０００２】
液体ジェット誘導レーザ技術は、液体マイクロジェット（ＬＭＪ：Ｌｉｑｕｉｄ  ＭｉｃｒｏＪｅｔ）と呼ばれる場合があり、例えば、フォーカス用レンズによって、レーザフォーカスを小さい液体ジェットの中に結合する。この結合は、結合用ユニット内で行われる。結合用ユニットは、フォーカス用レンズ側に金属チャンバを備えることができ、これはレーザプロテクト窓で閉じられている。チャンバの反対側は、ノズルを備える。結合用ユニットに供給された液体は、窓とノズルの間を流れ、液体ジェットの形態でノズルを出る。焦点面内のレーザスポットのエネルギーは、液体ジェット内部に取り込まれ、内部反射によってワークピースへ案内される。この方法は、加工を行うために必要なエネルギーが液体ジェットの層流長さ全長にわたって利用可能であるので、ワークピースの距離を精密に制御する必要性を無くす。液体ジェットを形成するために、適切な光誘導能力を与える任意の液体を使用することができる。
【０００３】
アシストガスを液体ジェットに供給することによって、液体ジェットの層流長さを増加させて、プロセスの作動距離を延ばすことができる。アシストガスは、液体と周囲空気との間の抵抗を減少させることによって液体ジェットの層流長さを増加させるために、直接境界層として液体ジェットへ誘導される。このようにして、液体ジェットはアシストガスによって結合用ユニットの内部で囲まれ、アシストガスは液体ジェットの方へ向けられる。例えば、アシストガスは、垂直面内で移動する液体ジェットへ向けて水平面内で結合用ユニットに入ることができる。次いで、アシストガスおよび液体ジェットは、アシストガスによって液体ジェットが中央において囲まれた状態でこのシステムを出る。
【０００４】
アシストガスと液体ジェットの間には依存性がある。例えば、アシストガスの圧力特性と流れの特性は、液体ジェットの層流を最適化するように選択することができる。アシストガスの他の動作条件は、液体ジェットに悪い影響を及ぼし得る。例えば、アシストガスの高圧は液体ジェットの層流を短くさせ得、アシストガスのさらに高い圧力は液体ジェットを破壊し得る。アシストガスは、液体ジェット内のレーザビームの内部反射を中断させ、それによってレーザ加工の出力に影響を及ぼす可能性もある。
【先行技術文献】
【特許文献】
【０００５】
【特許文献１】米国特許出願公開第２０１５／０１６５５５９号明細書
【発明の概要】
【０００６】
本開示の態様および利点は、以下の明細書中に一部記載されており、または明細書から明らかであり得、あるいは本開示の実施を通じて学ぶことができる。
【０００７】
レーザシステムのレーザフォーカス光学モジュールに取り外し可能に配設された結合用ユニットを有する液体ジェット誘導レーザシステムのためのヘッド組立体が開示される。結合用ユニットは、結合用ユニットに取り外し可能に接続されたノズル組立体を有する。ノズル組立体は、軸方向および半径方向を規定し、液体ジェットノズルおよびノズルキャップを有する。液体ジェットノズルは、液体ジェットを形成するように構成される。ノズルキャップは、ノズルキャップ本体であって、軸方向に配列されノズルキャップ本体の中心を通じて延びる液体ジェット穴を画定するノズルキャップ本体を有する。複数の軸方向アシストガス導管および固定アシストガス導管は、アシストガス源と流体連通しており、液体ジェット穴と同心の環状パターンで配置された入口ポートを通じてノズルキャップ本体に入る。軸方向アシストガス導管および固定アシストガス導管は、液体ジェットの最も近くでアシストガスを排出するように配置された軸方向出口ポートおよび固定出口ポートまでアシストガスを個別に輸送するためにノズルキャップ本体を通じて延びる。複数の軸方向アシストガス導管の少なくとも一部は、液体ジェット穴との流体連通から仕切られる。レーザフォーカス光学モジュールに取り付けるように構成された側方移動組立体を側方移動組立体に取り外し可能に取り付けられた結合用ユニットと共に有する液体ジェット誘導レーザシステムも開示されている。
【０００８】
本開示のこれらおよび他の特徴、態様、および利点は、以下の明細書および添付の特許請求の範囲を参照することでより良く理解されよう。添付図面は、本明細書に組み込まれ、本明細書の一部を構成するものであり、本開示の実施形態を例示し、本明細書と共に本開示の原理を説明する役割を果たす。
【０００９】
最良の形態を含み当業者に向けられた本発明の十分かつ実施可能な開示が、本明細書に記載されており、これは以下の添付図面の参照を行う。
【図面の簡単な説明】
【００１０】
【図１】ヘッド組立体の一実施形態の断面図である。
【図２】ノズルキャップの一実施形態の側面図である。
【図３】ノズルキャップの一実施形態の平面図である。
【図４】ノズルキャップの一実施形態の斜視図である。
【図５】固定アシストガスポートを有するノズルキャップの別の実施形態の斜視図である。
【図６】ノズルキャップの一実施形態の端面図である。
【発明を実施するための形態】
【００１１】
本明細書および図面における参照符号を繰り返し使用するのは、本開示の同一または類似の特徴または要素を表すためである。
【００１２】
次に、本開示の実施形態の参照が詳細になされる。本開示の実施形態の１つまたは複数の例は、図面に示されている。各例は、本開示を説明することによって与えられるが、本開示を限定するものではない。実際、本開示の範囲または精神から逸脱することなく様々な修正形態および変更形態が本開示になされてもよいことは当業者に明らかであろう。例えば、一実施形態の一部として図示または説明された特徴は、もっとさらなる実施形態をもたらすために別の実施形態と共に使用することができる。したがって、本開示は添付の特許請求の範囲およびそれらの均等物の範囲内にあるそのような修正形態および変更形態を含むことが意図される。
【００１３】
本明細書中に使用されるとき、用語「軸方向の」および「半径方向の」は、中央流体経路内の流体の流れに対しての相対的方向を指し、「軸方向の」は中央流体経路に平行であり、「半径方向の」は中央流体経路に直交しかつ中央流体経路内の共通中心点から発散するものである。また、「上流」は、流体が流れてくる方向を指し、「下流」は、流体が流れて行く方向を指す。
【００１４】
全ての方向の言及（例えば、半径方向、軸方向、近位、遠位、上側、下側、上方、下方、左、右、側方、前方、後ろ、上、下、上方、下方、垂直、水平、時計回り、反時計回り）は、読み手の理解を助けるための特定の目的のために使用されるものにすぎず、特に本発明の位置、向き、または使用に関して限定をもたらすものではない。接続の言及（例えば、取り付けられる、結合される、接続される、および接合される）は、幅広く解釈されるべきであり、別段示されない限り、要素を集めたものの間に中間部材を含んでもよく、要素間の相対移動を含んでもよい。したがって、接続の言及は、必ずしも２つの要素が直接接続され、互いに固定関係にあることを意味するものではない。例示的な図面は、図示のためにすぎず、本明細書に添付された図面に表された寸法、位置、順序、および相対的サイズは、変わってもよい。
【００１５】
図１は、レーザフォーカス光学モジュール２４に結合された結合用組立体２２を備えることができる液体ジェット誘導レーザシステム２０のヘッド組立体（２１）の一実施形態の断面図を示す。レーザフォーカス光学モジュール２４は、レーザビーム２６とフォーカスレンズ２８などの光学素子とを備えることができる。いくつかの実施形態では、レーザビーム２６の焦点の調整は、レーザフォーカス光学モジュール２４と結合用組立体２２との間に結合することができる側方移動組立体３０によって助けられ、このようにして、レーザビーム２６の方向に直交するラテラル面（ｌａｔｅｒａｌ  ｐｌａｎｅ）内で結合用組立体２２が移動することを可能にする。
【００１６】
マウント５１は、環状コネクタ部５３を有し、レーザフォーカス光学モジュール２４からのフォーカスされたレーザビーム２６を側方移動組立体３０に通過させるように漏斗型を形成する。レーザビーム２６は、窓要素６２を通じて液体ジェットノズル６５内の流体ノズル７１の中にフォーカスされる。マウント５１は、結合用ユニット５７を環状形状で囲み、同軸配置で保持する。結合用ユニット５７の上部は開口部５９を有し、開口部５９は上から下へ円錐形に先細りしている。下端円錐形の開口部５９の下端には、窓要素６２が接触する肩部が形成されている。窓要素６２の下面には、液体ジェットノズル６５とノズルキャップ７７とを有するノズル組立体６０がある。薄い中間空間６３は、窓要素６２と液体ジェットノズル６５との間の流体流入路として働く。
【００１７】
液体７０（例えば、水）は、環状ダクト６９を介して、次いで半径方向路６７を介して中間空間６３の中に必要な圧力（例えば４００バール）を用いて導入される。液体ジェットノズル６５は、流体ノズル７１に隣接した結合用ユニット５７の円筒形内部空間に下方から挿入される。液体ジェットノズル６５は、中間空間６３に面するその上側に、流体ノズル７１が挿入される凹部を有する。流体ノズル７１は、光導波路のやり方でレーザ放射を誘導する流体３３の微細ジェット（図２参照）を形成する中央軸方向ダクトを有する。このダクトは、所望の流体ジェットの直径、例えば３０から６０マイクロメートルに相当する直径を有する。
【００１８】
流体ノズル７１に隣接して、本例では上部分空間７３と下部分空間７５とから形成されているガス保持空間が存在する。これは、液体ジェットノズル６５の下端で導入されるアシストガス３１が、流体ジェット３３を乱すことなく広がることを可能にする。
【００１９】
図２〜図６は、液体ジェットノズル６５の下面に設置されているノズルキャップ７７の様々な図である。ノズルキャップ７７は、上部分空間７３と下部分空間７５とが互いに隣接する位置で接続する。ノズルキャップ７７は、軸方向に配列され下部分空間７５を形成する空洞から下先端までノズルキャップ本体７８の中心を通じて延びる液体ジェット穴７９を画定するノズルキャップ本体７８を有する。ノズルキャップ７７は、軸方向に上から下まで円錐形に先細りしている。液体ジェット穴７９は、例えば１〜２ｍｍの直径を有する。
【００２０】
ノズルキャップ７７は、ノズルキャップ７７の上面に隣接して配置されたアシストガスマニホルド８３を有する（図１参照）。マニホルド８３は、環状空間８５を通じて供給を受ける（図１参照）。マニホルド８３から、アシストガス３１は、複数の軸方向アシストガス導管８１ａ、８１ｂおよび固定アシストガス導管３２へ導入される。複数の軸方向ガス導管８１ａ、８１ｂおよび固定アシストガス導管３２は、アシストガス３１を様々な位置へ送り届けるのに適した任意の個数の導管であり得る。軸方向アシストガス導管８１ａ、８１ｂと固定アシストガス導管３２の両方の直径は、異なってもよくまたは同じでもよく、約０．００５”の直径から０．０３”の直径の範囲内とすることができる。複数の軸方向アシストガス導管８１ａ、８１ｂは、入口ポート６１ａ、６１ｂ（図２）を通じてノズルキャップ本体７８に入るアシストガス源３１と流体連通しており、液体ジェット穴７９と同心の環状パターンで配置されている。固定アシストガス導管３２も、アシストガス源３１と流体連通しており、中央流体経路に直交して静的アシストガスを排出する半径方向パターンで延びるように配置することができる。軸方向アシストガス導管８１ａ、８１ｂは、液体ジェット３３の最も近くでアシストガス３１を排出するように配置された軸方向出口ポート９１ａ、９１ｂまでアシストガス３１を個別に輸送するためにノズルキャップ本体７８を通じて延びる。軸方向アシストガス導管８１ａ、８１ｂの少なくとも一部は、アシストガス３１を液体ジェット３３から分離するために、液体ジェット穴７９との流体連通から仕切られる。軸方向出口ポート９１ａ、９１ｂは、約１０度から約４０度の範囲内において液体ジェット収束角度θでアシストガスを噴射するように形成された軸方向出口ポートとして構成することができる。
【００２１】
図２および図５は、液体ジェット穴７９を貫く軸方向に直交して配置され、かつダイヤフラム４２を通じて伝わるアシストガスを阻止するのに十分な距離延びる、ダイヤフラムスロット４１内に取り外し可能に配設することができるダイヤフラム４２の一実施形態を示す。ダイヤフラムは、約０．０４”から０．５”の厚さとすることができ、約０．０２”から０．０５”の直径の中央穴を有する。これらの寸法は、約１：２から１：１０の間のアスペクト比（穴径：ダイヤフラム厚さ）内で変わり得る。図３および図４は、図２に示したノズルキャップ７７の平面図および斜視図である。
【００２２】
図５は、固定出口ポート３５を下部分７５の中に排気するように配置した、複数の固定アシストガス導管３２を有するノズルキャップ７７の別の実施形態の形状である。固定出口ポート３５は、中央流体経路にほぼ直交して静的アシストガス３１を排気するように半径方向パターンでノズルキャップ本体７８から出る。固定出口ポートは、中央流体経路内の共通中心点から発散する。図６は、図４の実施形態の底面図である。
【００２３】
ノズルキャップ７７を軸方向アシストガス導管８１ａ、８１ｂ、固定アシストガス導管３２、ダイヤフラム４２、およびＬＭＪヘッド組立体（２１）の他の部分と共に構築するのに適した付加製造技術は、限定するものではないが、材料噴射、結合剤噴射、材料押出、粉末床溶融結合、直接金属レーザ溶融、選択的レーザ溶融、選択的レーザ焼結、直接金属レーザ焼結、電子ビーム溶融、選択的加熱焼結、シート積層、指向性エネルギー堆積、および／またはそれらの組み合わせを含む。
【００２４】
本明細書は、最良の形態を含む本発明を開示するために例を用いており、任意の装置またはシステムを作製および使用し、任意の組み込まれた方法を実行するなど当業者が本発明を実施することを可能にもする。本開示の特許性のある範囲は、特許請求の範囲によって定められ、当業者が想到する他の例を含み得る。そのような他の例は、それらが特許請求の範囲の文言と異ならない構成要素を含む場合、またはそれらが特許請求の範囲の文言からわずかに異なる均等な構成要素を含む場合、特許請求の範囲内にあることが意図される。
【００２５】
最後に、代表的な実施態様を以下に示す。
［実施態様１］
液体ジェット誘導レーザシステム（２０）のためのヘッド組立体（２１）であって、
前記レーザシステム（２０）のレーザフォーカス光学モジュール（２４）に取り外し可能に配設された結合用ユニット（５７）を備え、前記結合用ユニット（５７）は、
前記結合用ユニットに取り外し可能に接続され、軸方向および半径方向を規定するとともに液体ジェットノズルおよびノズルキャップを備えるノズル組立体を備え、前記液体ジェットノズルは、液体ジェットを形成するように構成され、前記ノズルキャップは、
ノズルキャップ本体（７８）であって、軸方向に配列されノズルキャップ本体（７８）の中心を通じて延びる液体ジェット穴（７９）を画定するノズルキャップ本体（７８）と、
アシストガス（３１）源と流体連通している複数の軸方向アシストガス導管（８１ａ、８１ｂ）および固定アシストガス導管（３２）であって、前記液体ジェット穴（７９）と同心の環状パターンで配置された入口ポート（６１ａ、６１ｂ）を通じて前記ノズルキャップ本体（７８）に入り、前記液体ジェット（３３）の最も近くでアシストガス（３１）を排出するように配置された軸方向出口ポート（９１ａ、９１ｂ）および固定出口ポート（３５）までアシストガス（３１）を個別に輸送するために前記ノズルキャップ本体（７８）を通じて延びる複数の軸方向アシストガス導管（８１ａ、８１ｂ）および複数の固定アシストガス導管（３２）とを備え、
前記複数の軸方向アシストガス導管（８１ａ、８１ｂ）の少なくとも一部は、前記液体ジェット（７９）穴との流体連通から仕切られる、液体ジェット誘導レーザシステム（２０）のためのヘッド組立体（２１）。
［実施態様２］
前記軸方向出口ポート（９１ａ、９１ｂ）の少なくとも一部は、約１０度から約４０度の範囲内において液体ジェット収束角度θで前記アシストガス（３１）を噴射するように配置される、実施態様１記載のヘッド組立体（２１）。
［実施態様３］
前記固定出口ポート（３５）の少なくとも一部は、前記液体ジェット穴（７９）と半径方向流体連通するために配置される、実施態様１記載のヘッド組立体（２１）。
［実施態様４］
前記複数の軸方向アシストガス導管（８１ａ、８１ｂ）および前記複数の固定アシストガス導管（３２）の直径は、約０．００５インチから約０．０３インチの範囲内である、実施態様１記載のヘッド組立体。
［実施態様５］
ダイヤフラムスロット（４１）内に取り外し可能に配設されたダイヤフラム（４２）をさらに備える、実施態様１記載のヘッド組立体（２１）。
［実施態様６］
前記ダイヤフラム（４２）は、前記液体ジェット（３３）の軸方向に直交して配置され、前記ダイヤフラム（４２）を通じて伝わるアシストガス（３１）を阻止するのに十分な距離延びる、実施態様５記載のヘッド組立体（２１）。
［実施態様７］
約１：２から１：１０の範囲内でアスペクト比を定めるダイヤフラム中央穴をさらに備える、実施態様５記載のヘッド組立体（２１）。
［実施態様８］
前記結合用ユニット（５７）は、環状ダクト（６９）に供給するための液体を備える、実施態様１記載のヘッド組立体（２１）。
［実施態様９］
環状空間（８５）を通じて前記複数の軸方向アシストガス導管（８１ａ、８１ｂ）および複数の固定アシストガス導管（３２）へアシストガス（３１）を供給するように構成されたアシストガスマニホルド（８３）をさらに備える、実施態様１記載のヘッド組立体（２１）。
［実施態様１０］
前記結合用ユニット（５７）は、前記ノズル組立体（６０）に取り外し可能に配設される窓要素（６２）を備える、実施態様１記載のヘッド組立体（２１）。
［実施態様１１］
レーザフォーカス光学モジュール（２４）に取り付けるように構成された側方移動組立体（３０）と、
前記側方移動組立体（３０）に取り外し可能に取り付けられた結合用組立体（２２）と
を備えた液体ジェット誘導レーザシステム（２０）であって、
前記側方移動組立体（３０）は、前記液体ジェット誘導レーザシステム（２０）のレーザビームに直交する平面内で前記結合用組立体（２２）の位置を調整することを可能にし、前記結合用組立体（２２）は、
結合用ユニット（５７）に取り外し可能に接続され、軸方向および半径方向を規定するとともに液体ジェットノズル（６５）およびノズルキャップ（７７）を備えるノズル組立体（６０）を備え、前記液体ジェットノズル（６５）は、液体ジェット（３３）を形成するように構成され、前記ノズルキャップ（７７）は、
ノズルキャップ本体（７８）であって、軸方向に配列されノズルキャップ本体（７８）の中心を通じて延びる液体ジェット穴（７９）を画定するノズルキャップ本体（７８）と、
アシストガス（３１）源と流体連通している複数の軸方向アシストガス導管（８１ａ、８１ｂ）および固定アシストガス導管（３２）であって、前記液体ジェット穴（７９）と同心の環状パターンで配置された入口ポート（６１ａ、６１ｂ）を通じて前記ノズルキャップ本体（７８）に入り、前記液体ジェット（３３）の最も近くでアシストガス（３１）を排出するように配置された軸方向出口ポート（９１ａ、９１ｂ）および固定出口ポート（３５）までアシストガス（３１）を個別に輸送するために前記ノズルキャップ本体（７８）を通じて延びる複数の軸方向アシストガス導管（８１ａ、８１ｂ）および複数の固定アシストガス導管（３２）とを備え、
前記複数の軸方向アシストガス導管（８１ａ、８１ｂ）の少なくとも一部は、前記液体ジェット穴（７９）との流体連通から仕切られる、液体ジェット誘導レーザシステム（２０）。
［実施態様１２］
前記軸方向出口ポート（９１ａ、９１ｂ）の少なくとも一部は、約１０度から約４０度の範囲内において液体ジェット収束角度θで前記アシストガス（３１）を噴射するように配置される、実施態様１１記載のレーザシステム（２０）。
［実施態様１３］
前記固定出口ポート（３５）の少なくとも一部は、前記液体ジェット穴（７９）と半径方向流体連通するために配置される、実施態様１１記載のレーザシステム（２０）。
［実施態様１４］
前記複数の軸方向アシストガス導管（８１ａ、８１ｂ）および複数の固定アシストガス導管（３２）の直径は、約０．００５インチから約０．０３インチの範囲内である、実施態様１１記載のレーザシステム（２０）。
［実施態様１５］
ダイヤフラムスロット（４１）内に取り外し可能に配設されたダイヤフラム（４２）をさらに備える、実施態様１１記載のレーザシステム（２０）。
［実施態様１６］
前記ダイヤフラム（４２）は、前記液体ジェット（３３）の軸方向に直交して配置され、前記ダイヤフラム（４２）を通じて伝わるアシストガス（３１）を阻止するのに十分な距離延びる、実施態様１５記載のレーザシステム（２０）。
［実施態様１７］
約１：２から１：１０の範囲内でアスペクト比を定めるダイヤフラム中央穴をさらに備える、実施態様１５記載のレーザシステム（２０）。
［実施態様１８］
前記結合用ユニット（５７）は、環状ダクト（６９）に供給するための液体を備える、実施態様１１記載のレーザシステム（２０）。
［実施態様１９］
環状空間（８５）を通じて前記複数の軸方向アシストガス導管（８１ａ、８１ｂ）および複数の固定アシストガス導管（３２）へアシストガス（３１）を供給するように構成されたアシストガスマニホルド（８３）をさらに備える、実施態様１１記載のレーザシステム（２０）。
［実施態様２０］
前記結合用ユニット（５７）は、前記ノズル組立体（６０）に取り外し可能に配設される窓要素（６２）を備える、実施態様１１記載のレーザシステム（２０）。
【符号の説明】
【００２６】
２０  液体ジェット誘導レーザシステム
２１  ヘッド組立体
２２  結合用組立体
２４  レーザフォーカス光学モジュール
２６  レーザビーム
２８  フォーカスレンズ
３０  側方移動組立体
３１  アシストガス
３２  固定アシストガス導管
３３  液体ジェット
３５  固定出口ポート
４０  側方移動組立体
４１  ダイヤフラムスロット
４２  ダイヤフラム
５０  レーザフォーカス光学モジュール
５１  マウント
５３  環状コネクタ部
５５  排出ダクト
５７  結合用ユニット
５９  円錐形の開口部
６０  ノズル組立体
６１ａ、６１ｂ  入口ポート
６２  窓要素
６３  中間空間
６５  液体ジェットノズル
６７  半径方向管路
６９  環状ダクト
７０  液体
７１  流体ノズル
７３  上部分空間
７５  下部分空間
７７  ノズルキャップ
７８  ノズルキャップ本体
７９  液体ジェット穴
８１ａ、８１ｂ  軸方向アシストガス導管
８３  アシストガスマニホルド
８５  環状空間
９１ａ、９１ｂ軸方向出口ポート
θ  液体ジェット収束角度
【図１】
2017164812.tif 000003
【図２】
2017164812.tif 000004
【図３】
2017164812.tif 000005
【図４】
2017164812.tif 000006
【図５】
2017164812.tif 000007
【図６】
2017164812.tif 000008
【外国語明細書】
2017164812000001.pdf